(57)【要約】【課題】発光素子の異常が発生しても読取モードの変更により故障の影響無く読取動作が可能な場合にそのような選択を行えるようにする。【解決手段】複数色の発光素子を光源として用い、カラー読取モードおよびモノクロ読取モードを有する画像読取装置において、複数の発光素子のいずれかが異常であると検出した場合、カラー読取モードにおいては、読み取り動作を行わせる前にモノクロ読取モードに切り換える制御を行う。【選択図】図１７
2007235441.tif 000002
【特許請求の範囲】
【請求項１】
カラー読取モードおよびモノクロ読取モードを有する画像読取装置において、
互いに異なる波長分布を有する複数の発光素子を被写体に照射する照射手段と、
前記照射手段による被写体からの光を電荷に変換する光電変換手段と、
前記複数の発光素子の異常を検出する異常検出手段と、
前記異常検出手段により前記複数の発光素子のいずれかが異常であると検出した場合、カラー読取モードにおいては、読み取り動作を行わせる前にモノクロ読取モードに切り換える制御を行う制御手段と、
を有することを特徴とする画像読取装置。
【請求項２】
前記照射手段は、原稿の幅方向に延びた導光体を有し、この導光体の長手方向の一旦に前記複数の発光素子が配置され、発光素子からの光は前記導光体を介して前記被写体へ光を照射することを特徴とする請求項１に記載の画像読取装置。
【請求項３】
前記制御手段は、前記異常検出手段により前記複数の発光素子のいずれかが異常であると検出した場合、モノクロ読取モードにおいては、読取モードの切り換えを行うことなく読み取り動作を行わせることを特徴とする請求項１に記載の画像読取装置。
【請求項４】
前記互いに異なる波長分布を有する複数の発光素子についてそれぞれ異なる照射時間を調整する調整手段を有し、
前記調整手段が照射時間を調整する際に、前記複数の発光素子のいずれかの異常を前記異常検出手段により検出することを特徴とする請求項１に記載の画像読取装置。
【請求項５】
前記異常検出手段により前記複数の発光素子のいずれかの異常が検出された場合に警告を発する警告手段を有することを特徴とする請求項１に記載の画像読取装置。
【請求項６】
前記異常検出手段により前記異常を検出した場合に、当該発光素子を特定する表示を行う表示手段を有することを特徴とする請求項１の画像読取装置。
【請求項７】
操作者からの操作を受け付けるための操作手段を有し、前記制御手段は、前記操作手段により原稿読み取りの開始または停止の選択操作を受け付けることを特徴とする請求項１〜６のいずれかに記載の画像読取装置。
【請求項８】
前記制御手段は、前記操作手段により受け付けられた操作者の指示にしたがって、カラー読取モードからモノクロ読取モードへ切り換えるか、または切り換えないかを切り替えることを特徴とする請求項７に記載の画像読取装置。
【請求項９】
前記異常検出手段は、基準白色板を前記光電変換手段で読み取った画像データに基いて前記発光素子の異常を検出することを特徴とする請求項１〜８のいずれかに記載の画像読取装置。
【請求項１０】
前記照射手段は、互いに異なる波長分布を有する複数の光を発光するＬＥＤであることを特徴とする請求項１〜９のいずれかに記載の画像読取装置。
【請求項１１】
請求項１〜１０のいずれかに記載の画像読取装置と、この画像読取装置により読み取られた画像を記録シート上に記録する画像形成部とを備えた画像形成装置。
【発明の詳細な説明】
【技術分野】
【０００１】
本発明は、複数色の発光素子を光源として用いる画像読取装置およびこれを備えた画像形成装置に関する。
【背景技術】
【０００２】
画像読取装置には、原稿を読み取るための光源が用いられるが、この光源として発光ダイオード（ＬＥＤ: Light Emitting Diode）のような発光素子を用いた画像読取装置は、カラーおよびモノクロのいずれにも対応できるものが提案されている。カラー読取の場合は、Ｒ（赤）、Ｇ（緑）、Ｂ（青）の３色の発光素子を用いてそれぞれ、各色を点灯制御し、各色に応じた信号を得ることにより、カラー画像信号として原稿を読み取る構成がとられている。
【０００３】
また、カラー読取の際、上記ＬＥＤの読取時の光量は、ＬＥＤそのものの光量にバラツキが存在するために、光量を制御する必要があり、読取時の光量が一定になるように、制御されている。
【０００４】
一方、モノクロ読取の場合は単色、例えば緑１色による発光で緑色に応じた信号を検出することにより、モノクロ画像信号として原稿を読み取る構成がとられている。
【０００５】
また、読取速度の高速化に対応させるためには、単色点灯では光量が不足するという問題が生じる。この問題に対して、複数色の発光素子を同時点灯させて読取を行った場合には、特定色のみの光量が多くなったり、発光素子間の色バランスがくずれたりすることにより、カラー原稿の特定色の画像が読み取れないという不具合が生じる場合があり、色バランスを合わせるために点灯時間を制御してＲＧＢの各色の光量を一定にしている。
【０００６】
しかしながら、上記のようなＬＥＤによる光源を用いた画像読取装置において、ＬＥＤの劣化や故障をした場合、不良画像が出力されてしまうといった問題がある。
【０００７】
そこで、ＬＥＤの劣化や故障を検出する手法が提案されている。例えば、ＬＥＤの劣化や故障による光量不足を検出した場合に、調整手段によってＬＥＤの発光量を調整したり、他のＬＥＤによって光量不足を補う制御を行ったり、エラーとして読取動作を停止するという制御が提案されている（特許文献１，２参照）。
【０００８】
また、多数のＬＥＤを配列したＬＥＤアレイ光源を用いた画像読取装置において、異常ＬＥＤの位置が原稿の範囲外であれば原稿読取動作を行い、異常ＬＥＤの位置が原稿の範囲内であればＬＥＤの異常を表示し、操作者に対して原稿読取の開始または停止の選択を受け付ける制御が提案されている（特許文献２参照）。
【特許文献１】特開平９−９３４３２号公報
【特許文献２】特開２００４−６４４０６号公報
【発明の開示】
【発明が解決しようとする課題】
【０００９】
しかし、上記のような画像読取装置においては、ＬＥＤの発光量の調整範囲を超えた場合や、故障が検出された場合には、読取動作が中断、あるいは停止してしまうため、画像読取装置の中断・停止時間が増加し、ユーザにとっては大変不便なものとなる。
【００１０】
上記特許文献２に記載の従来技術においては、異常ＬＥＤが存在しても原稿読取動作を継続できることが記載されているが、カラーやモノクロの読取モードに関しては考慮されていない。すなわち、読取モードによっては、故障の影響無く読取動作が可能な場合があるにもかかわらず、読取モードの変更については記載されていない。
【００１１】
本発明はこのような背景においてなされたものであり、その目的は発光素子の異常が発生しても読取モードの変更により故障の影響無く読取動作が可能な場合にそのような選択を行うことができる画像読取装置および画像形成装置を提供することにある。
【課題を解決するための手段】
【００１２】
本発明による画像読取装置は、カラー読取モードおよびモノクロ読取モードを有する画像読取装置において、互いに異なる波長分布を有する複数の発光素子を被写体に照射する照射手段と、前記照射手段による被写体からの光を電荷に変換する光電変換手段と、前記複数の発光素子の異常を検出する異常検出手段と、前記異常検出手段により前記複数の発光素子のいずれかが異常であると検出した場合、カラー読取モードにおいては、読み取り動作を行わせる前にモノクロ読取モードに切り換える制御を行う制御手段とを有することを特徴とする。
【００１３】
モノクロ原稿をカラー読取モードで読み取るような場合、発光素子の一つに異常が発生しても、モノクロ読取モードで読み込みを行えば、読み取り不良が防止できる場合がある。また、カラー原稿の場合でもモノクロ読取モードで読み取りを行えば、カラー読取モードでの読み取りよりも読み取り不良が軽減される可能性がある。
【００１４】
前記制御手段は、自動的に読取モードの変更を行ってもよいし、操作手段により受け付けられた操作者の指示にしたがって、カラー読取モードからモノクロ読取モードへ切り換えるか、または切り換えないかを切り替えるようにしてもよい。
【００１５】
前記制御手段は、前記異常検出手段により前記複数の発光素子のいずれかが異常であると検出した場合、モノクロ読取モードにおいては、読取モードの切り換えを行うことなく読み取り動作を行わせるようにしてもよい。これは、画像不良が発生しても読み取り動作を実行することにより、装置の中断・停止時間が低減される。
【００１６】
前記互いに異なる波長分布を有する複数の発光素子についてそれぞれ異なる照射時間を調整する調整手段を有することにより、複数の発光素子による光量レベルを調整し、それらの間の光量のばらつきを防止し、バランスをとることができる。また、これにより、前記調整手段が照射時間を調整する際に、前記複数の発光素子でいずれかの異常を前記異常検出手段により検出することができる。
【００１７】
本発明による画像形成装置は、本発明の画像読取装置と、この画像読取装置により読み取られた画像を記録シート上に記録する画像形成部とを備えたものである。
【発明の効果】
【００１８】
本発明は、互いに異なる波長分布を有する複数の発光素子を備え、カラー読取モードおよびモノクロ読取モードを有する画像読取装置において、発光素子の異常を検知した場合には、カラー読取モードをモノクロ読取モードに変更することで、不良画像を極力防止し、装置の中断・停止時間を低減する効果がある。
【発明を実施するための最良の形態】
【００１９】
以下、図面に基づき、本発明の好適な実施の形態を説明する。この実施の形態は本発明をファクシミリ装置に適用したものである。但し、本発明はファクシミリ装置に限定されるものではなく、画像読取装置、およびこれを用いたプリンタやデジタル複写機などの画像形成装置に適用することができる。
【００２０】
図１は、本実施の形態のファクシミリ装置を前方から見た透視図、図２はその斜視図、図３は画像読取部の拡大透視図である。
【００２１】
まず、ファクシミリ装置全体の概略を説明する。図１、図２および図３において、１０１は装置本体、１０２はシート原稿Ｄを複数枚積載し、１枚ずつ分離、搬送するＡＤＦ（オートドキュメントフィーダ）圧板、１０３はシート原稿Ｄの表面および原稿台ガラス上のブック原稿の画像情報を読み取る画像読取部、１０４は電子写真プリンタからなる記録装置本体、１０５は表示部・入力キー等により構成される操作部、１０６は原稿載置台、１０７は原稿台ガラス、１０８は移動型のイメージセンサユニット、１０９は流し読みガラスである。
【００２２】
また、１１０はＬＥＤヘッドユニット、１１１は画像形成部、１１２はカセット給紙部、１１３は記録装置本体１０４の上部にシート材Ｐを複数枚積載することができるように構成された記録シート排紙部、１１４はカートリッジカバー部、１１５はＡＤＦ分離部、１１６は排紙搬送部、１１７は原稿排紙部、１１８はブック原稿を押圧する原稿押え板、１１９は画像読取部１０３と記録装置本体１０４との接合部、１２０はファクシミリ装置の制御部、１２１はシート原稿搬送部、１２２は両面搬送部カバー、１２３は搬送方向切換部、１２４はレジスト搬送部、１２５は記録装置本体１０４内部に配置されたＭＰ（マルチペーパー）給紙部、１５０は両面搬送部である。
【００２３】
まず、ブック原稿の読取について説明する。ＡＤＦ圧板１０２はヒンジ部１０２ａ（図２）を介して画像読取部１０３に回動可能に取り付けられている。ヒンジ部１０２ａは装置の背面側左右に各１個（左側は図示せず）配設され、ＡＤＦ圧板１０２の手前側を持ち上げることで開閉可能としている（図２、両矢印参照）。ヒンジ部１０２ａはダンパやカム、バネ部材などの組合せによりＡＤＦ圧板１０２を所定の角度（たとえば７０°）までの開いた状態で静止させることが可能である。ＡＤＦ圧板１０２が開いた状態では原稿台ガラス１０７上に原稿をセットすることが可能になっている。
【００２４】
画像読取部１０３の移動型イメージセンサユニット１０８はＬＥＤと樹脂製導光体などからなる光源から原稿の画像情報面に光を照射し、画像情報面で反射した反射光をセルフォック（商標）レンズで一次元センサ素子アレイに結像して画像情報を読み取るものである。その具体的な構成例については図５により後述する。
【００２５】
移動型イメージセンサユニット１０８は図４に示すように、ガイド軸１０３ｃに沿って装置の左右方向に移動可能になっており、タイミングベルト１０３ａ、駆動プーリ１０３ｂおよび図示しない駆動モータなどにより所望の位置に移動可能である。この場合、キャリッジ１０３ｄを介してガイド軸１０３ｃに支持されるとともに、スプリング１０３ｅによって上方へ付勢される。イメージセンサユニット１０８と原稿台ガラス１０７の間にはスペーサ１０８ａが介挿される。イメージセンサユニット１０８はブック読取範囲開始位置１０７ａ（図１）からブック読取範囲終了位置１０７ｂまでの所定の範囲の原稿台ガラス１０７上に置かれた原稿の画像を等速移動することで読み取るようになっている。
【００２６】
図３によく表れるように、原稿台ガラス１０７上部に張り出したジャンプ台１０９ｂの下面には白色シート（基準白色板）１０９ｃが配設され、イメージセンサユニット１０８の読取位置がその下部にあるときにイメージセンサユニット１０８のシェーディング補正を行う。本を開いた状態で読み取るいわゆるブックスキャンを行う場合、１回のスキャンのたびにイメージセンサユニット１０８はジャンプ台１０９ｂの下部を通過するため、スキャンのたびにシェーディング補正を行うことができる。このことは光源の経時変化に応じて光量が変化する移動型イメージセンサ１０８の光源の影響を減らすために有効である。
【００２７】
原稿押え板１１８は白色シート、スポンジなどを積層して構成され、原稿台ガラス１０７上に置かれた原稿の浮きを防止する。原稿押え板１１８は左端１１８ａがブック読取範囲開始位置１０７ａの左側、右端１１８ｂがブック読取範囲終了位置１０７ｂの右側まで延設されている。
【００２８】
次に、シート原稿Ｄの読取について説明する。ＡＤＦ分離部１１５は図示しないアクチュエータにより上下動可能に配設されたピックアップローラ１１５ａ、分離ローラ１１５ｂに圧接され逆方向に回転するリタードローラ１１５ｃなどからなる。
【００２９】
まず、原稿載置台１０６上に表（おもて）面を上に向けて積載したシート原稿Ｄはピックアップローラ１１５ａを下げることで押圧し、分離ローラ１１５ｂおよびリタードローラ１１５ｃの間に送り込み、リタードローラ１１５ｃと圧接した分離ローラ１１５ｂで１枚ずつ分離する。次に、図示しない押圧バネにより押圧された分離搬送コロ１２１ａ，１２１ｂと圧接した読取搬送ローラ１２１ｃにより、原稿ガイド１２１ｄに沿ってＵターン紙パスを搬送する。
【００３０】
次に、流し読みガラス１０９部に搬送し、図示しない付勢バネで押圧されたシート原稿押え板１２１ｅにより、シート原稿Ｄを流し読みガラス１０９に押圧して密着させつつ、シート原稿読取位置１０９ａ上でシート原稿Ｄの表面の画像情報を読み取る。このときイメージセンサユニット１０８はシート原稿読取位置１０９ａに移動する。次に、シート原稿Ｄをジャンプ台１０９ｂでＡＤＦ圧板１０２側に戻し、押圧バネにより押圧された読取搬送コロ１２１ｆと圧接した読取搬送ローラ１２１ｃによって搬送する。
【００３１】
さらに、押圧バネによって押圧された排紙コロ１１７ａと圧接した排紙ローラ１１７ｂにより原稿排紙トレイ１１７ｃに排紙するようになっている。排紙ローラ１１７ｂの上流側には読取済みスタンプ１２１ｇが配設され、シート原稿Ｄの表面に押印可能になっている。
【００３２】
図２によく表れるように、原稿載置台１０６はＡＤＦ圧板１０２に固定的に配設されており、原稿載置台１０６にはシート原稿Ｄの搬送方向と直角方向（シート原稿Ｄの幅方向）にスライド可能なスライダ１０６ａが設けられている。このスライダ１０６ａによって原稿載置台１０６上に積載されたシート原稿Ｄの両サイドを揃えることができるようになっている。また、原稿載置台１０６上には原稿長さセンサ１０６ｂが配設され、セットされたシート原稿Ｄの長さを検知することができる。また、ＡＤＦ分離部１１５にはシート原稿Ｄの幅方向に複数配設された原稿幅センサ１１５ｄによってシート原稿Ｄの有無と幅を検知することができる。原稿幅センサ１１５ｄと原稿長さセンサ１０６ｂの検知出力の組合せにより原稿サイズとセット方向を検知することができる。
【００３３】
また、図３によく表れるように、シート原稿搬送部１２１には原稿給送センサ１２１ｈと原稿端センサ１２１ｉが配設されている。原稿給送センサ１２１ｈはＡＤＦ分離部１１５からシート原稿Ｄが繰り出されたこと、および、シート原稿Ｄの後端が通過したことを検知する。原稿端センサ１２１ｉはシート原稿Ｄの先端および後端の通過を検知し、その出力は読取のタイミング制御に使用される。
【００３４】
上述したように本実施の形態のイメージセンサユニット１０８において、光源により原稿を照射し、原稿からの反射光を、結像光学系を介してセンサに入射させることにより原稿画像を読み取るようになっている。
【００３５】
図５は本実施の形態に係るイメージセンサユニット１０８の具体的構成例を示している。イメージセンサユニット１０８は、発光素子であるＬＥＤ１０と、のＬＥＤ１０で発せられた光を原稿へと導く、原稿の幅方向に延びた導光体１１を含む。この構成例では、結像光学系を構成するセルフォック（商標）レンズアレイ１２の両側に沿って一対の導光体１１が設けられる。なお、レンズアレイ１２の直下にセンサ１３が配設され、イメージセンサ構成部材は枠体１４内に配置構成される。
【００３６】
ＬＥＤ１０は導光体１１の長手方向のいずれかの端部に固定されるが、図示例では一方の導光体１１の一端と他方の導光体１１の他端にそれぞれ１個設けられる。このように２つの導光体１１の間で反対側に設け、かつ中心軸Ｃに対して点対称の配置構成とする。
【００３７】
各ＬＥＤ１０から発せられた光はそれぞれの導光体１１内で反射を繰り返しながら進行することで、導光体４の全長から出射する。導光体１１から出射した光は、図６のように原稿台ガラス１０７上のブック原稿に照射され、それぞれの反射光がレンズアレイ１２を通ってセンサ１３に入射する。
【００３８】
図７は、本実施の形態におけるイメージセンサユニット１０８における導光体・光源による光量分布を示している。図において、一方の導光体１１側のＬＥＤ１０からの距離を基準にその光量分布が実線で示され、他方の導光体１１側の光量分布が点線で示されている。イメージセンサユニット１０８全体としての光量分布は、一点鎖線で示されるように各々のＬＥＤ１０の光量を加算したものとなる。すなわち図示のように、個々のＬＥＤから光量が増大するとともに距離方向に平均化されている。
【００３９】
この実施の形態のイメージセンサユニット１０８によれば、上記のように２つの並列配置された導光体１１について、ＬＥＤ１０をそれぞれの導光体１１の反対側の端部に設けることで、導光体・光源が相互に補完し合うかたちの光量分布が得られる。これによりムラのない良好な読取画像が得られる。
【００４０】
なお、光源は複数色の発光を行うＬＥＤにより構成されるものである。ＬＥＤ光源１０は、カラー読取を行う場合にはＲ，Ｇ，Ｂ３個のＬＥＤを備える。
【００４１】
図８は従来のイメージセンサユニットの構成例を示している。すなわち、枠体７内に単一の導光体４とその一端に配置された単一のＬＥＤ光源３、さらに、レンズアレイ５およびセンサ６を備えている。図５に示した本実施の形態におけるイメージセンサユニットは図８の構成に比べて、導光体およびＬＥＤ光源を二重化しているので、原稿台ガラス２上の原稿に対して照射される光量を増加させることができる。
【００４２】
次に、イメージセンサユニット１０８から出力される画像信号を処理する画像信号処理部について図９を用いて説明する。図９は画像信号処理部のブロック図である。
【００４３】
ＣＰＵ（＆メモリ）２４にてＬＥＤ駆動回路の点灯時間を制御する。イメージセンサユニット１０８から出力されるアナログ信号は、ＡＭＰ（＆Ａ／Ｄ）２３において増幅され、アナログ信号からデジタル信号に変換されてメモリ２４に保存される。これにより得られたデジタルデータは並べ替え回路４０において１ラインの信号に並べ替えられ、シェーディング補正回路４１においてシェーディング補正が行われる。その後、Ｉ／Ｆ回路４２を介して、プリンタによって印刷出力される、あるいはホストコンピュータ等によって画像再生される。また、ＣＰＵ２４はシェーディングデータ等の演算や画像読取部１０３を制御するためのＣＰＵであり、２６はＬＥＤ２２を点灯するためのＬＥＤ共通電源回路である。画像読取装置の操作部４３は、画像読取装置の状態表示を行う、あるいは、ユーザによる読み取り命令を受け付ける。ＬＥＤ駆動回路２５は、ＬＥＤ共通電源２６からの電力を受け、ＣＰＵ２４の制御によりイメージセンサユニット１０８の各ＬＥＤを駆動する。
【００４４】
また、ＣＰＵ２４は保存された画像データより最適なＬＥＤの点灯時間を算出する。このときの画像データに基づいて、ＬＥＤの故障あるいは異常を検出する。
【００４５】
図１０は本実施の形態におけるＬＥＤ駆動回路２５の構成例を示したものである。ＬＥＤ共通電源２６にそれぞれ接続されたＬＥＤ  Ｒ１、ＬＥＤ  Ｇ１、ＬＥＤ  Ｂ１、ＬＥＤ  Ｒ２、ＬＥＤ  Ｇ２、ＬＥＤ  Ｂ２に対して、それぞれに定電流回路３１とスイッチ回路３３を含むドライバ３０が接続され、ＣＰＵ（＆メモリ）２４の制御下で各々のスイッチ回路３３を制御して各ＬＥＤの光量を調整する。
【００４６】
図１１により本実施の形態における光源の光量特性を説明する。図１１（ａ）はイメージセンサユニット１０８の概略構成を示し、図１１（ｂ）（ｃ）（ｄ）は両ＬＥＤ光源１０を左右のＬＥＤを別々に点灯させたときの左右のＲ，Ｇ，ＢのＬＥＤ光量特性を示している。図中、実線のグラフは左側の発光素子の特性を示し、破線のグラフは右側の発光素子の特性を示している。本実施の形態では発光素子としてＲＧＢのＬＥＤが２組有り、ＬＥＤの個数は左側のＲＧＢ３個と右側のＲＧＢ３個の合計６個ある。よって調整ポイントをイメージセンサユニット１０８の両端近傍の位置ＡとＢの２点として光量を調整して色バランスを合わせるものとする。位置Ａ，Ｂはそれぞれ当該ＬＥＤ光源１０から等距離の位置にある。ここでは、ＲＧＢの色バランスを１：１：１にした場合の調整方法を示す。
（１）調整ポイントＡの画像データレベルに注目し、左側のＲＧＢを調整する。
（２）調整ポイントＢの画像データレベルに注目し、右側のＲＧＢを調整する。
（３）全てのＬＥＤの点灯時間を所定時間（例えば最大）にした上で、調整ポイントＡ，Ｂでの画像データレベルをチェックする。
例えば、調整ポイントＡにて、
左Ｒ：２０５／２５５  レベル
左Ｇ：２３０／２５５  レベル
左Ｂ：２１５／２５５  レベル
調整ポイントＢにて、
右Ｒ：２３５／２５５  レベル
右Ｇ：２２５／２５５  レベル
右Ｂ：２１０／２５５  レベル
となったとき、最低レベルは左Ｒの２０５レベルとなり、このＬＥＤは最大点灯時間のままとする。その他のＬＥＤは各調整ポイントで２０５レベルになるように、点灯時間を短くして調整する。
【００４７】
左Ｒの場合、２０５／２３０＝０．８９１なので、最大点灯時間の８９．１％の時間、点灯するように調整する。
【００４８】
なお、各ポイントで１つのＬＥＤでもその光量レベルが２５５／２５５というように、センサのダイナミックレンジに対して出力がオーバーしてしまった場合にはＲＧＢ間の正確な光量調整ができない。そこで、一旦、そのような出力オーバーのＬＥＤに対する点灯時間を所定の割合で低減して（例えば１／２、１／４などにして）、全てのＬＥＤがダイナミックレンジ内に収まるようにした後、再度、全てのＬＥＤの光量レベルが最低レベルで一致するように点灯時間を調整する。
【００４９】
全てのＬＥＤの光量レベルが出力オーバーとなった場合、例えば２５０／２５５レベルになるように全てのＬＥＤの点灯時間を調整する。この“２５０”という数値は２５５より低く２５５に近い値という意味の数値であり、必ずしも２５０である必要はない。全てのＬＥＤの光量レベルが飽和してダイナミックレンジを越えたとき全ＬＥＤの点灯時間を共通に低減した後、最低の出力レベルに合わせる方法もありうるが、センサのダイナミックレンジに収まる範囲内でダイナミックレンジを有効に利用するためには、２５５に近いレベルに合わせる方法が好ましい。
【００５０】
図１２は、本実施の形態のＬＥＤ光源１０の劣化または故障した場合の光量特性を示す。イメージセンサユニットの長手方向（主走査方向）に対しての劣化または故障した場合の光量特性を示している。
【００５１】
上記同様に調整ポイントでの各ＲＧＢでの画像レベル取得時に、ＬＥＤの異常検出（左側ＲＧＢと右側ＲＧＢの合計６個の内どのＬＥＤが異常であるかのチェック）を行う。調整ポイントでの各ＲＧＢでの画像レベル取得時において、白色シート１０９ｃの画像をサンプルするが、ＬＥＤ１０が異常である場合には、図のようなサンプルデータの分布となる。ＬＥＤ１０の異常により光量が不足するためその部分の輝度データが低下する。
【００５２】
そして、そのサンプルデータを所定の閾値Ｔｈと比較し、サンプルデータが閾値Ｔｈよりも小さい場合に、ＬＥＤが異常（劣化または故障）であると判断する。
【００５３】
ここで、所定の閾値Ｔｈは、出力画像がドロップアウトカラーや濃度異常となることがない程度に十分な輝度を保証する値である。その輝度データの調整ポイントに対し、ＬＥＤが異常であると見なし、その位置および画像データを検出し、メモリ２４に記憶しておく。この時、ＬＥＤが異常であることを操作部４３（１０５）においてアラーム表示する。
【００５４】
図１２に示すようなＬＥＤの色によって、閾値Ｔｈは閾値Ｔｈ１，Ｔｈ２，Ｔｈ３のように異なりうる。ＬＥＤ光量が当該閾値より低い場合、画像読み取りの際に、読み取り画像にドロップアウトカラーや濃度異常等の不良画像が発生する可能性がある。よって、読取モードがカラーモードである場合は、図１７（ｂ）のように、操作部上にアラーム表示を行う。これにより、画像読み取り動作を中断し、ユーザに、モノクロモードでの画像読み取り動作を続けるか否かを選択させる。
【００５５】
この際、ユーザが不良画像の発生を承知し、画像読み取り動作の継続を選択した場合、画像読み取り動作が続けられるときは、モノクロモードでの画像読み取り動作を行う。一方、ユーザが読み取り動作の中止を選択し、画像読み取りが続けられない場合は、画像読み取り動作を行わずに終了する。
【００５６】
また、ＬＥＤの異常が検出された場合には、画像読み取りが終了した後も、図１７（ａ）のような操作部上のアラーム表示を、ＬＥＤが交換されるまで行う。
【００５７】
次に、読取モードがモノクロモードである場合には、図１７（ｃ）のように、操作部上にアラーム表示を行う。これにより、画像読み取り動作を中断し、ユーザに、モノクロモードでの画像読み取り動作を続けるか否かを選択させる。
【００５８】
この際、ユーザが不良画像の発生を承知し、画像読み取り動作の継続を選択した場合、画像読み取り動作が続けられるときは、モノクロモードでの画像読み取り動作を行う。一方、ユーザが読み取り動作の中止を選択し、画像読み取りが続けられない場合は、画像読み取り動作を行わずに終了する。
【００５９】
また、ＬＥＤの異常が検出された場合には、画像読み取りが終了した後も、図１７（ａ）のような操作部上のアラーム表示を、ＬＥＤが交換されるまで行う。
【００６０】
以下、図１３〜図１６のフローチャートにより、本実施の形態における処理例を詳細に説明する。これらの処理は、ＣＰＵ２４が内部のメモリに格納されたプログラムを読み出して実行することにより実現され、装置電源オン時、その他必要時に自動的に、またはユーザの指示に応じて、実行される。
【００６１】
図１３に示すフローチャートを説明する。この図は、本実施の形態における電源投入またはスリープ復帰時処理の制御シーケンスを示す。
【００６２】
画像読取装置に対して、電源が投入された場合またはスリープ復帰した場合において、オフセット調整が行われ、所定の黒レベルへ黒データを黒側へシフトする（Ｓ１１）。
【００６３】
次に各ＬＥＤの光量調整を行う（Ｓ１２）。光量調整の処理手順については後述する。この光量調整後、各ＬＥＤの光量（センサレベル）を確認しメモリに記憶する。次に、白色シートの下でランプを点灯させ（Ｓ１３）、ゲイン調整を行う（Ｓ１４）。すなわち、白色シートの白データが所定の白データに一致するようにＡＭＰ２３において増幅する。そして、ランプを消灯させ（Ｓ１５）、再度オフセット調整を行う（Ｓ１６）。ゲイン調整によりオフセット状態が変化しうるからである。
【００６４】
次に、ランプが消えた状態で黒データのサンプリングが行われ、主走査方向の所定領域に対して、黒シェーディング補正データの演算およびセットが行われる（Ｓ１７）。次に、ランプを点灯させ（Ｓ１８）、白色シートの白データをサンプリングし、白シェーディング補正データをＣＰＵ２４において演算してメモリにセットする（Ｓ１９）。次に、ランプを消灯させ（Ｓ２０）、光量調整時に取得してメモリに記憶した各ＬＥＤの光量（センサレベル）と所定の閾値Ｔｈ１〜Ｔｈ３を比較する（Ｓ２１）。各ＬＥＤの光量（センサレベル）が閾値Ｔｈ１〜Ｔｈ３よりも大きい場合（Ｎ）には（Ｓ２２）、ＬＥＤの異常は無いと判断し、この処理を終了する。
【００６５】
各ＬＥＤの光量（センサレベル）が閾値Ｔｈ１〜Ｔｈ３よりも小さいＬＥＤがある場合（Ｓ２２，Ｙｅｓ）には、ＬＥＤの異常と判断し、操作部内の表示画面に図１７（ａ）に示すようにアラームａ表示を行い（Ｓ２３）、本処理を終了する。
【００６６】
図１４は、本実施の形態における両ＬＥＤ光源の各ＬＥＤの光量調整処理のフローチャートを示す。
【００６７】
光量調整処理をスタートした後、まず、調整ポイントＡ，Ｂにて順次各ＬＥＤの光量レベル（センサレベル）を確認する（Ｓ１）。具体的には、前述のようにまず、調整ポイントＡにおいて左側の３個のＬＥＤの光量レベルを順次測定する。次に、調整ポイントＢにおいて右側の３個のＬＥＤの光量レベルを順次測定する。この際、各ＬＥＤは個別に点灯し、その点灯時間は最大（１００％）とする。
【００６８】
ついで求められた各ＬＥＤの光量レベルで２５５レベル以上のものがあるかを確認する（Ｓ２）。（なお、実際には２５５レベル以上であってもセンサ出力は飽和するので、光量レベルは２５５レベルとなる。）
【００６９】
２５５レベル以上のものが存在しなければ、全てのＬＥＤの中で光量レベルが最低レベルのものを見つけ出す（Ｓ３）。そこで、各ＬＥＤの点灯時間割合ｘ［％］を次のように算出する（Ｓ４）。
【００７０】
点灯時間割合ｘ［％］＝最低レベル／各ＬＥＤ光量レベル    （１）
【００７１】
図１８に示すように、点灯時間割合ｘ［％］は水平同期信号（ａ）の水平期間内のＬＥＤのフル点灯期間（ｂ）に対する時間割合（ｃ）を示している。
【００７２】
上記ステップＳ２において、１個でも２５５レベル以上のＬＥＤが存在する場合には（Ｓ２，Ｙｅｓ）、そのＬＥＤの点灯時間を所定の割合ｐ（この例では１／２）で低減して光量レベルを落とす（Ｓ５）。そこで、全てのＬＥＤのレベルが２５５未満になったか確認する（Ｓ６）。光量レベルが２５５以上であるＬＥＤがなお存在する場合は更にそのＬＥＤの点灯時間を所定の割合ｐで低減する（Ｓ７）。この例で同じＬＥＤについて２回低減を行うと点灯時間は当初の１／４となる。全てのＬＥＤの光量レベルが２５５未満になったら、ステップＳ８へ進む。
【００７３】
ステップＳ８では、ステップＳ２で求められた最大点灯時の全てのＬＥＤが２５５レベル以上であったか否かをチェックする。全てのＬＥＤが２５５レベル以上ではなかったと判断された場合には、ステップＳ３へ移行する。この場合のようにステップＳ８からステップＳ３へ移行した場合の上記式（１）の分母の「ＬＥＤ光量レベル」は、低減された点灯時間で測定された光量レベルである。また、点灯時間を低減したＬＥＤであって最低レベルでないものについて得られた点灯割合は、低減された点灯時間に対するさらなる低減の割合である。例えば点灯時間が１／２に低減されたＬＥＤの光量レベルが２００レベルで、これより低い光量レベル１９０のＬＥＤが存在した場合、前者の点灯割合は（１／２）×（１９０／２００）と算出される。
【００７４】
ステップＳ８で全てのＬＥＤが２５５レベル以上であったと判断された場合には、予め定めた光量レベル（この例では２５０レベル）を目標として点灯時間を設定する（Ｓ９）。すなわち、各ＬＥＤの点灯時間は次のように算出する。
【００７５】
点灯時間割合＝２５０／各ＬＥＤ光量レベル    （２）
【００７６】
式（２）の分母の各ＬＥＤ光量レベルは、測定された光量レベルではなく、計算により求められた２５５レベル以上の光量レベルである。この光量レベルを求めるための計算では、各ＬＥＤについてステップＳ５、Ｓ７の低減実行回数によって決まる係数（回数ｎの場合、ｐのｎ乗の逆数）を測定光量レベルに乗算する。例えば、１／２の低減を１回実行した場合に測定結果が１５０レベルであるとすれば、実際の光量レベルは１５０×２＝３００レベルとなる。この場合の点灯時間割合は２５０／３００となる。
【００７７】
次に、図１５により読取動作の処理例を表すフローチャートを示す。
【００７８】
ユーザにより読取動作のスタートボタンが押下されると、読み取り動作が開始され、予め白色シートの下に位置するイメージセンサユニットにおいて、黒シェーディング補正として、ランプが消えた状態で黒サンプルが行われ、黒オフセット補正データの演算およびセットが行われる（Ｓ３１）。次に、白色シートの下でランプを点灯させ（Ｓ３２）、白シェーディング補正として、白色シートの画像をサンプリングして、白色シートのサンプルデータからシェーディング補正データをＣＰＵ２４において演算し、メモリにセットする（Ｓ３３）。そして、各ＬＥＤの中で異常ＬＥＤが検出されてなかった場合、ＬＥＤの異常は無いと判断し（Ｓ３４，Ｎｏ）、通常の原稿読み取り動作を行って（Ｓ３９）、本処理を終了する。
【００７９】
異常ＬＥＤが検出されていた場合（Ｓ３４，Ｙｅｓ）、カラーモードの場合（Ｓ３５，Ｙｅｓ）、操作部内の画面表示に図１７（ｂ）のようにアラームｂ表示を行う（Ｓ３６）。この場合、ＬＥＤの異常が発生している旨、モノクロモードへの変更の確認、異常ＬＥＤによってドロップアウトカラーや濃度異常の発生の可能性等を知らせる表示を行う。この際、原稿に対してドロップアウトカラーが赤、緑、青などのどのようなカラーであるか知らせる表示をしてもよい。
【００８０】
その後、ユーザによって原稿読み取りの継続または中止が選択されたか否かをチェックする（Ｓ３７）。ユーザにより“はい”ボタンの押下等により継続が選択された場合には（Ｓ３８，Ｙｅｓ）、処理Ａ（Ｓ４３）を行う。処理Ａの詳細については図１６により後述する。
【００８１】
“いいえ”ボタンの押下等により継続が中止された場合には（Ｓ３８，Ｎｏ）、原稿の読み取りを行わずに、操作部内の表示画面に図１７（ａ）のようにアラームａ表示を行い（Ｓ４５）、本処理を終了する。
【００８２】
ステップＳ３４において異常ＬＥＤが検出されていた場合、カラーモードでない場合（モノクロモードの場合）（Ｓ３５，Ｎｏ）、操作部内の画面表示に図１７（ｃ）のように、ＬＥＤの異常の発生、および、異常ＬＥＤによってドロップアウトカラーや濃度異常の発生の可能性等を知らせるアラーム表示（アラームｃ表示）を行う（Ｓ４０）。この際、原稿に対してドロップアウトカラーが赤、緑、青などのどのようなカラーであるか知らせる表示をしてもよい。
【００８３】
その後、ユーザによって原稿読み取りの継続または中止が選択されたか否かをチェックする（Ｓ４１）。ユーザにより“はい”ボタンが押下されることにより継続が選択された場合には（Ｓ４２，Ｙｅｓ）、処理Ａ（Ｓ４３）を行う。次に、原稿読み取り動作を行って（Ｓ４４）、操作部内の表示画面に図１７（ａ）のようにアラームａ表示を行い（Ｓ４５）、本処理を終了する。
【００８４】
ステップＳ４２において、“いいえ”ボタンが押下されることにより中止が選択された場合には、原稿の読み取りを行わずに、操作部内の表示画面に図１７（ａ）のようにアラームａ表示を行い（Ｓ４５）、本処理を終了する。
【００８５】
図１６に、図１５のステップＳ４４の「処理Ａ」の詳細を表すフローチャートを示す。
【００８６】
まず、ランプを消灯させ（Ｓ５１）、オフセット調整を行い（Ｓ５２）、次にランプを点灯させ（Ｓ５３）、ゲイン調整を行い（Ｓ５４）、ランプを消灯させ（Ｓ５５）、再度オフセット調整を行う（Ｓ５６）。そして、黒シェーディング補正を行い（Ｓ５７）、ランプを点灯させ（Ｓ５８）、白シェーディング補正を行う（Ｓ５９）。
【００８７】
以上、本発明の好適な実施の形態について説明したが、上記で言及した以外にも種々の変形、変更を行うことが可能である。
【図面の簡単な説明】
【００８８】
【図１】本発明の実施の形態におけるファクシミリ装置を前方から見た透視図である。
【図２】本発明の実施の形態におけるファクシミリの斜視図である。
【図３】本発明の実施の形態における画像読取部の拡大透視図である。
【図４】本発明の実施の形態における画像読取部の内部構造を示す図である。
【図５】本発明の実施の形態におけるイメージセンサユニットの構成例を示す斜視図である。
【図６】本発明の実施の形態におけるイメージセンサユニットの構成例を示す断面図である。
【図７】本発明の実施の形態におけるイメージセンサユニットによる光量分布を示す図である。
【図８】従来のイメージセンサユニットの構成例を示す図である。
【図９】本発明の実施の形態における画像信号処理部のブロック図である。
【図１０】本発明の実施の形態におけるＬＥＤ駆動回路の構成例を示した図である。
【図１１】本発明の実施の形態における光量特性を示す図である。
【図１２】本発明の実施の形態におけるＬＥＤの劣化または故障した場合の光量特性を示す図である。
【図１３】本発明の実施の形態における電源投入およびスリープ復帰時の制御シーケンスのフローチャートを示す図である。
【図１４】本発明の実施の形態における両ＬＥＤ光源の各ＬＥＤの光量調整処理のフローチャートである。
【図１５】本発明の実施の形態における読取動作の処理例を表すフローチャートである。
【図１６】図１５のステップＳ４４の「処理Ａ」の詳細を表すフローチャートである。
【図１７】本発明の実施の形態における操作部内の画面表示を示す図である。
【図１８】本発明の実施の形態における点灯時間割合ｘ［％］の説明図である。
【符号の説明】
【００８９】
１０…ＬＥＤ光源
１１…導光体
１２…レンズアレイ
１３…センサ
１４…枠体
２４…メモリ
２５…駆動回路
２６…共通電源
３０…ドライバ
３１…定電流回路
３３…スイッチ回路
４０並べ替え回路
４１…シェーディング補正回路
４２…Ｉ／Ｆ回路
４３…操作部
１０２…圧板
１０２ａ…ヒンジ部
１０３…画像読取部
１０３ａ…タイミングベルト
１０３ｂ…駆動プーリ
１０３ｃ…ガイド軸
１０３ｄ…キャリッジ
１０３ｅ…スプリング
１０４…記録装置本体
１０６…原稿載置台
１０６ａ…スライダ
１０６ｂ…センサ
１０７…原稿台ガラス
１０７ａ…ブック読取範囲開始位置
１０７ｂ…ブック読取範囲終了位置
１０８…イメージセンサユニット
１０８ａ…スペーサ
１０９…流し読みガラス
１０９ａ…シート原稿読取位置
１０９ｂ…ジャンプ台
１０９ｃ…白色シート
１１５…分離部
１１５ａ…ピックアップローラ
１１５ｂ…分離ローラ
１１５ｃ…リタードローラ
１１５ｄ…原稿幅センサ
１１７ａ…排紙コロ
１１７ｂ…排紙ローラ
１１７ｃ…原稿排紙トレイ
１１８…原稿押え板
１１８ａ…左端
１１８ｂ…右端
１２１…シート原稿搬送部
１２１ａ，１２１ｂ…分離搬送コロ
１２１ｃ…読取搬送ローラ
１２１ｄ…原稿ガイド
１２１ｅ…シート原稿押え板
１２１ｆ…読取搬送コロ
１２１ｇ…スタンプ
１２１ｈ…原稿給送センサ
１２１ｉ…原稿端センサ
【図１】
2007235441.tif 000003
【図２】
2007235441.tif 000004
【図３】
2007235441.tif 000005
【図４】
2007235441.tif 000006
【図５】
2007235441.tif 000007
【図６】
2007235441.tif 000008
【図７】
2007235441.tif 000009
【図８】
2007235441.tif 000010
【図９】
2007235441.tif 000011
【図１０】
2007235441.tif 000012
【図１１】
2007235441.tif 000013
【図１２】
2007235441.tif 000014
【図１３】
2007235441.tif 000015
【図１４】
2007235441.tif 000016
【図１５】
2007235441.tif 000017
【図１６】
2007235441.tif 000018
【図１８】
2007235441.tif 000019
【図１７】
2007235441.tif 000020